【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
ファイル情報を装置画面上においてファイル情報の種別ごとに特徴付けたイメージ画像であるアイコンによって表わし、操作者によるアイコンに対する特定の指示により、該当するファイル情報を装置による処理がおこなえる記憶手段内にセットするとともに、ファイル情報の内容を表示する画面を装置画面上に表示するユーザ操作環境を有する情報処理装置において、
ファイル情報のアイコンを、その属性を表わす関連データとして定義した見出し語と関連付けた形で配置管理するファイル管理表について、それをを表わすアイコンを定めた上、ファイル管理表を表わすアイコンをさらに別のファイル管理表上に貼り付けることを繰り返して得られる階層ファイル管理表を出力先、または、出力元として管理対象のアイコンをコピー、またはムーブする方法であって、
階層ファイル管理表を構成するファイル管理表上のアイコン配置欄を構成する１つのセルについて、定められた規則に基づいて、該当するファイル管理表上において該当する表内の見出し語をそのセル内の配置アイコンの関連データとして読み取るステップと、
該当のファイル管理表を表わすアイコンが配置されている親のファイル管理表とその上における該当アイコンの配置先セルとを識別するステップとを有し、
上記ステップにより識別した親のファイル管理表上の配置先セルについて、再度、上記した関連データを識別するステップをおこなう制御を、最初に選択したファイル管理表からはじめて、階層ファイル管理表の最上位のファイル管理表上おいて関連データを読み取るまで  繰り返した上、読み取った関連データの和を、最初に選択したファイル管理表上の選択セルについて、その配置アイコンの属性として参照されるべき全関連データとして識別した後、
識別した全関連データについて、別に用意した第２のファイル管理表上アイコン配置欄内の各セルについて得られる関連データと定められた判定による照合をおこなうことによって、上記階層ファイル管理表中において最初に選択した該当セル内のアイコンがコピーまたは、ムーブされる第２のファイル管理表上の配置先セル、または、上記階層ファイル管理表中の該当セル内へコピーまたは、ムーブされる、第２のファイル管理表上のコピー元アイコン、またはムーブ元アイコンの配置セルを見出し、上記階層ファイル管理表の該当セルと第２のファイル管理表上の該当セルとの間で配置アイコンのコピー、またはムーブをおこなう情報処理装置における方法。
【請求項２】
第１の階層ファイル管理表において、ファイル管理表以外のファイル種別のファイルを表わす全てのアイコンを、順に検出し、検出したアイコンについて、該当階層ファイル管理表における上記した全関連データを求めるステップと、
第２の階層ファイル管理表においてその最下層に位置する全てのファイル管理表上のアイコン配置欄内にある全てのセルを順に取り出し、その該当階層ファイル管理表における全関連データを求めるステップとを備え、第１の階層ファイル管理表から第２の階層ファイル管理表への配置アイコンのコピー、またはムーブをおこなう請求項１にに記載の方法。
【請求項３】
第１の階層ファイル管理表において、ファイル管理表以外のファイルを表わす全てのアイコンを順に検出し、検出したアイコンについて上記した全関連データを求めるステップと、
別にアイコンの配置先として用意した第２の階層ファイル管理表の最上位のファイル管理表を次のステップの対象となる「現在のファイル管理表」として設定するステップと、
「現在のファイル管理表」の上に定義されている関連データを構成する項目名の中に
第１の階層ファイル管理表から取出したアイコンの全関連データの構成項目名の集合に含まれないものが存在することを判定するステップとを経て、
上記した「現在のファイル管理表」上における項目名についての判定が得られない場合、「現在のファイル管理表」上においてそのアイコン配置蘭を構成する各セルについて、定められた規則に基づいて該当する表内の見出し語を、そのセル内に配置されるアイコンの関連データとして読み取った上、読み取った各関連データが、その関連データを構成する各項目について第１の階層ファイル管理表から取出したアイコンの全関連データの該当データを包含しているセルを見出すステップと、
見出したセル上にそのアイコンが配置されている「子」のファイル管理表を「現在のファイル管理表」として取り出すステップを経て、上記した「現在のファイル管理表」上における項目名についての判定ステップに戻る制御をおこない、
上記した「現在のファイル管理表」上における項目名についての判定が得られた場合、第１の階層ファイル管理表から取出した上記アイコンを「現在のファイル管理表」のアイコンが配置されている、「親」のファイル管理表上における配置先セル中に「コピー、または、ムーブする情報処理装置における請求項１における方法。
【請求項４】
ファイル情報を装置画面上においてファイル情報の種別ごとに特徴付けたイメーシ画像であるアイコンによって表わし、操作者によるアイコンに対する特定の指示により、該当するファイル情報を装置による処理がおこなえる記憶手段内にセットするとともに、ファイル情報の内容を表示する画面を装置画面上に表示するユーザ操作環境を有する情報処理装置であって、
ファイル情報のアイコンを、その属性を表わす関連データとして定義した見出し語と関連付けた形で配置管理するファイル管理表について、それを表わすアイコンを定めた上、ファイル管理表を表わすアイコンをさらに別のファイル管理表上に貼り付けることを繰り返して得られる階層ファイル管理表を出力先、または、出力元として管理対象のアイコンをコピー、またはムーブする装置として、
階層ファイル管理表を構成するファイル管理表上のアイコン配置欄を構成する１つのセルについて、定められた規則に基づいて、該当するファイル管理表上において該当する表内の見出し語をそのセル内の配置アイコンの関連データとして読み取る手段と、
該当のファイル管理表を表わすアイコンが配置されている親のファイル管理表とその上における該当アイコンの配置先セルとを識別する手段とを有し、
上記ステップにより識別した親のファイル管理表上の配置先セルについて、再度、上記した関連データを識別する制御を、最初に選択したファイル管理表からはじめて、階層ファイル管理表の最上位のファイル管理表上おいて関連データを読み取るまで  繰り返した上、読み取った関連データの和を、最初に選択したファイル管理表上の選択セルについて、その配置アイコンの属性として参照されるべき全関連データとして識別した後、
識別した全関連データについて、別に用意した第２のファイル管理表上アイコン配置欄内の各セルについて得られる関連データと定められた判定による照合をおこなうことによって、上記階層ファイル管理表中において最初に選択した該当セル内のアイコンがコピーまたは、ムーブされる第２のファイル管理表上の配置先セル、または、上記階層ファイル管理表中の該当セル内へコピーまたは、ムーブされる、第２のファイル管理表上のコピー元アイコン、またはムーブ元アイコンの配置セルを見出し、上記階層ファイル管理表の該当セルと第２のファイル管理表上の該当セルとの間で配置アイコンのコピー、またはムーブをおこなう情報処理装置。
【請求項５】
ファイル情報を装置画面上においてファイル情報の種別ごとに特徴付けたイメージ画像であるアイコンによって表わし、操作者によるアイコンに対する特定の指示により、該当するファイル情報を装置による処理がおこなえる記憶手段内にセットするとともに、ファイル情報の内容を表示する画面を装置画面上に表示するユーザ操作環境を有する情報処理装置であって、
ファイル情報のアイコンを、その属性を表わす関連データとして定義した見出し語と関連付けた形で配置管理するファイル管理表について、それをを表わすアイコンを定めた上、ファイル管理表を表わすアイコンをさらに別のファイル管理表上に貼り付けることを繰り返して得られる階層ファイル管理表から、予め、各項目名ごとのデータの積の形で与えた出力条件に合致するアイコンを出力する装置として、
上記の階層ファイル管理表を構成する１つのファイル管理表上において、そのアイコン配置欄を構成する各セルについて、表内の該当する見出し語を定められ規則に基づいて、そのセル内の配置アイコンの関連データとして読み取った上、
その関連データを該当のファイル管理表上に定義されている関連データを構成する各項目名ごとに出力条件側のデータと照合することをアイコン配置欄内の全セルについて繰り返すことによって、その全ての関連データが出力条件側の該当項目のデータに包含されるセルを検出する手段と、
出力条件データ側を構成する項目名の中に、そのデータが階層ファイル管理表から取出した各ファイル管理表上の各セルの関連データと上記した照合をおこなっていない項目名が残されていることを判定する手段と
上記の判定が得られた場合、該当のファイル管理表上において検出したセル中に配置されているアイコンが表わす別のファイル管理表を取り出す手段を実行させる制御を、上記階層ファイル管理表の最上位のファイル管理表からはじめて、上記判定が得られなくなるまで繰り返し、上記判定が得られない場合、該当のファイル管理表において上記の検出をおこなったセル中の配置アイコンを特定する定義情報を装置のデータ記憶手段内の特定エリアに  出力する情報処理装置。
【請求項６】
ファイル情報を装置画面上においてファイル情報の種別ごとに特徴付けたイメージ画像であるアイコンによって表わし、操作者によるアイコンに対する特定の指示により、該当するファイル情報を装置による処理がおこなえる記憶手段内にセットするとともに、ファイル情報の内容を表示する画面を装置画面上に表示するユーザ操作環境を有する情報処理装置であって、
ファイル情報のアイコンを、その属性を表わす関連データとして定義した見出し語と関連付けた形で配置管理するファイル管理表について、それをを表わすアイコンを定めた上、ファイル管理表を表わすアイコンをさらに別のファイル管理表上に貼り付けることを繰り返して得られる階層ファイル管理表上を配置先として、別に配置対象のアイコンとしてその属性データを各項目名ごとのデータの積の形で付与した形で用意したファイル情報を表わすアイコンをコピー、または、ムーブする装置として、
上記階層ファイル管理表の最上位のファイル管理表を下記のステップの対象となる「現在のファイル管理表」として設定する手段と、
「現在のファイル管理表」の上に定義されている関連データを構成する項目名の中に
配置対象側のアイコンに付与された属性データの構成項目名の集合に含まれないものが存在することを判定する手段の実行を経て、
上記した「現在のファイル管理表」上における項目名についての判定が得られない場合、「現在のファイル管理表」上においてそのアイコン配置蘭を構成する各セルについて、定められた規則に基づいて該当する表内の見出し語を、そのセル内に配置されるアイコンの関連データとして読み取った上、読み取った各関連データが、その関連データを構成する各項目について配置対象のアイコンに付与されている属性データの該当データを包含しているセルを見出す手段と、
見出したセル上にそのアイコンが配置されている「子」のファイル管理表を「現在のファイル管理表」として取り出す手段を経て、上記した「現在のファイル管理表」上における項目名についての判定手段の実行に戻る制御をおこない、
上記した「現在のファイル管理表」上における項目名についての判定が得られた場合、配置対象のアイコンを「現在のファイル管理表」のアイコンが配置されている、「親」のファイル管理表上における配置先セル中に「コピー、または、ムーブする情報処理装置。
【請求項７】
ファイル情報を装置画面上においてファイル情報の種別ごとに特徴付けたイメージ画像であるアイコンによって表わし、操作者によるアイコンに対する特定の指示により、該当するファイル情報を装置による処理がおこなえる記憶手段内にセットするとともに、ファイル情報の内容を表示する画面を装置画面上に表示するユーザ操作環境を有する情報処理装置において、
ファイル情報のアイコンを、その属性を表わす関連データとして定義した見出し語と関連付けた形で配置管理するファイル管理表について、それをを表わすアイコンを定めた上、ファイル管理表を表わすアイコンをさらに別のファイル管理表上に貼り付けることを繰り返して得られる階層ファイル管理表を出力先、または、出力元として管理対象のアイコンをコピー、またはムーブする方法であって、
階層ファイル管理表を構成するファイル管理表上のアイコン配置欄を構成する１つのセルについて、定められた規則に基づいて、該当するファイル管理表上において該当する表内の見出し語をそのセル内の配置アイコンの関連データとして読み取るステップと、
該当のファイル管理表を表わすアイコンが配置されている親のファイル管理表とその上における該当アイコンの配置先セルとを識別するステップとを有し、
上記ステップにより識別した親のファイル管理表上の配置先セルについて、再度、上記した関連データを識別するステップをおこなう制御を、最初に選択したファイル管理表からはじめて、階層ファイル管理表の最上位のファイル管理表上おいて関連データを読み取るまで  繰り返した上、読み取った関連データの和を、最初に選択したファイル管理表上の選択セルについて、その配置アイコンの属性として参照されるべき全関連データとして識別した後、
識別した全関連データについて、別に用意した第２のファイル管理表上アイコン配置欄内の各セルについて得られる関連データと定められた判定による照合をおこなうことによって、上記階層ファイル管理表中において最初に選択した該当セル内のアイコンがコピーまたは、ムーブされる第２のファイル管理表上の配置先セル、または、上記階層ファイル管理表中の該当セル内へコピーまたは、ムーブされる、第２のファイル管理表上のコピー元アイコン、またはムーブ元アイコンの配置セルを見出し、上記階層ファイル管理表の該当セルと第２のファイル管理表上の該当セルとの間で配置アイコンのコピー、またはムーブをおこなう方法をコンピュータによって実現させるための制御プログラム、または、同制御プログラムを格納した記憶媒体。
【請求項８】
ファイル情報を装置画面上においてファイル情報の種別ごとに特徴付けたイメージ画像であるアイコンによって表わし、操作者によるアイコンに対する特定の指示により、該当するファイル情報を装置による処理がおこなえる記憶手段内にセットするとともに、ファイル情報の内容を表示する画面を装置画面上に表示するユーザ操作環境を有する情報処理装置において、
ファイル情報のアイコンを、その属性を表わす関連データとして定義した見出し語と関連付けた形で配置管理するファイル管理表について、それをを表わすアイコンを定めた上、ファイル管理表を表わすアイコンをさらに別のファイル管理表上に貼り付けることを繰り返して得られる階層ファイル管理表から、予め、各項目名ごとのデータの積の形で与えた出力条件に合致するアイコンを出力する方法であって、
上記の階層ファイル管理表を構成する１つのファイル管理表上において、そのアイコン配置欄を構成する各セルについて、表内の該当する見出し語を定められた規則に基づいて、そのセル内の配置アイコンの関連データとして読み取った上、
その関連データを該当のファイル管理表上に定義されている関連データを構成する各項目名ごとに出力条件側のデータと照合することをアイコン配置欄内の全セルについて繰り返すことによって、その全ての関連データが出力条件側の該当項目のデータに包含されるセルを検出するステップと、
出力条件データ側を構成する項目名の中に、そのデータが階層ファイル管理表から取出した各ファイル管理表上の各セルの関連データと上記した照合をおこなっていない項目名が残されていることを判定するステップと
上記の判定が得られた場合、該当のファイル管理表上において検出したセル中に配置されているアイコンが表わす別のファイル管理表を取り出すステップとからなる制御を、上記階層ファイル管理表の最上位のファイル管理表からはじめて、上記判定が得られなくなるまで繰り返し、上記判定が得られない場合、該当のファイル管理表において上記の検出をおこなったセル中の配置アイコンを特定する定義情報を装置のデータ記憶手段内の特定エリアに出力する方法をコンピュータによって実現させるための制御プログラム、または、同制御プログラムを格納した記憶媒体。
【請求項９】
ファイル情報を装置画面上においてファイル情報の種別ごとに特徴付けたイメージ画像であるアイコンによって表わし、操作者によるアイコンに対する特定の指示により、該当するファイル情報を装置による処理がおこなえる記憶手段内にセットするとともに、ファイル情報の内容を表示する画面を装置画面上に表示するユーザ操作環境を有する情報処理装置において、
ファイル情報のアイコンを、その属性を表わす関連データとして定義した見出し語と関連付けた形で配置管理するファイル管理表について、それをを表わすアイコンを定めた上、ファイル管理表を表わすアイコンをさらに別のファイル管理表上に貼り付けることを繰り返して得られる階層ファイル管理表上を配置先として、別に配置対象のアイコンとしてその属性データを各項目名ごとのデータの積の形で付与した形で用意したファイル情報を表わすアイコンをコピー、または、ムーブする方法であって、
上記階層ファイル管理表の最上位のファイル管理表を下記のステップの対象となる「現在のファイル管理表」として設定するステップと、
「現在のファイル管理表」の上に定義されている関連データを構成する項目名の中に
配置対象側のアイコンに付与された属性データの構成項目名の集合に含まれないものが存在することを判定するステップとを経て、
上記した「現在のファイル管理表」上における項目名についての判定が得られない場合、「現在のファイル管理表」上においてそのアイコン配置蘭を構成する各セルについて、定められた規則に基づいて該当する表内の見出し語を、そのセル内に配置されるアイコンの関連データとして読み取った上、読み取った各関連データが、その関連データを構成する各項目について配置対象のアイコンに付与されている属性データの該当データを包含しているセルを見出すステップと、
見出したセル上にそのアイコンが配置されている「子」のファイル管理表を「現在のファイル管理表」として取り出すステップを経て、上記した「現在のファイル管理表」上における項目名についての判定ステップに戻る制御をおこない、
上記した「現在のファイル管理表」上における項目名についての判定が得られた場合、
配置対象のアイコンを「現在のファイル管理表」のアイコンが配置されている、「親」のファイル管理表上における配置先セル中にコピー、または、ムーブする情報処理装置における方法をコンピュータによって実現させるための制御プログラム、または、同制御プログラムを格納した記憶媒体。